(57)【要約】【課題】  他の基板への接続が不要であり、しかも、強度補強を必要としない回路基板を提供する。【解決手段】  回路基板１３０は、導体層１３１と絶縁層１３２とが交互に積層されて剛体板状に形成され、導体層１３１を３層以上包含する剛性基板本体１３３と、剛性基板本体１３３からその一部の導体層１３１及び絶縁層１３２が一体に引き出されて可撓シート状に形成され、端部が被接続部に接続された可撓性基板部分１３４と、を有する。【選択図】図１
2005164624.tif 000002
【特許請求の範囲】
【請求項１】
導体層と絶縁層とが交互に積層されて剛体板状に形成され、該導体層を３層以上包含する剛性基板本体と、該剛性基板本体からその一部の導体層及び絶縁層が一体に引き出されて可撓シート状に形成された可撓性基板部分と、を有する回路基板。
【請求項２】
請求項１に記載された回路基板において、
上記剛性基板本体のみに電子部品が実装された、回路基板。
【請求項３】
導体層と絶縁層とが交互に積層されて剛体板状に形成され、該導体層を３層以上包含する剛性基板本体と、該剛性基板本体からその一部の導体層及び絶縁層が一体に引き出されて可撓シート状に形成され、端部が被接続部に接続された可撓性基板部分と、を有する回路基板と、
上記回路基板に接続された表示パネルと、
を備えた表示装置。
【請求項４】
請求項３に記載された表示装置において、
上記回路基板の可撓性基板部分の端部が接続された被接続部が上記表示パネルである、表示装置。
【請求項５】
請求項４に記載された表示装置において、
上記回路基板は、上記可撓性基板部分が折り返すように屈曲されて上記剛性基板本体が上記表示パネルの後方に重なるように配置された、表示装置。
【請求項６】
請求項３に記載された表示装置において、
上記回路基板は、上記剛性基板本体が係止固定された、表示装置。
【請求項７】
請求項３に記載された表示装置において、
上記表示パネルが液晶表示パネルである、表示装置。
【発明の詳細な説明】
【技術分野】
【０００１】
本発明は、回路基板、及び、それを備えた電子機器、ＯＡ端末機、携帯電話、広告表示機などに用いられる液晶表示装置等の表示装置に関する。
【背景技術】
【０００２】
図５は、携帯電話等に搭載されている液晶表示装置１００’の第１の例を示す。
【０００３】
この液晶表示装置１００’は、データ側ガラス基板１１１’と走査側ガラス基板１１２’とそれらの間の液晶層（図示せず）との積層構造からなる液晶表示パネル１１０’と、この液晶表示パネル１１０’の後方に配置されたバックライトユニットを兼ねたシャーシ１２０’と、そのシャーシ１２０’の後方に配置された周辺回路基板１３０’と、液晶表示パネル１１０’と周辺回路基板１３０’とを電気的に接続するフレキシブル回路基板１３０ａ’と、を備えている。データ側ガラス基板１１１’及び走査側ガラス基板１１２’のそれぞれの外側には、偏光板１１３’，１１４’が設けられている。また、データ側ガラス基板１１１’上には、駆動ドライバ１４０’が設けられている。周辺回路基板１３０’には、バックライトの光源となるＬＥＤ１３５’が設けられている。
【０００４】
周辺回路基板１３０’は、硬質基板本体１６０’の両面のそれぞれに銅箔等からなる所定パターンの配線の導体層１３１’が設けられ、その上に基板全面を被覆するように絶縁層１３２’が設けられたものである。
【０００５】
フレキシブル回路基板１３０ａ’は、例えば、ポリイミドフィルム等の長方形の絶縁フィルムの絶縁層１３２’の片面に銅箔等からなる所定パターンの配線の導体層１３１’が設けられたものであり、長辺方向両側の側縁部のそれぞれには、その側縁部に沿って配列した配線の端子部が設けられている。そして、フレキシブル回路基板１３０ａ’は、一方の側端部の端子部が液晶表示パネル１１０’の側端部に接続されており、他方の側縁部の端子部が周辺回路基板１３０’の側縁部に接続されている。この接続は、一般的には、異方性導電膜（ＡＣＦ：Anisotoropic Conductive Film）や半田を用いてなされる。
【０００６】
また、特許文献１では、液晶表示パネルと周辺回路基板とが相互に積層状態になっており、液晶表示パネルの各側縁部に、各フレキシブル回路基板の一方の側縁部がそれぞれ接続され、他方の側縁部がそれぞれ周辺回路基板の下面に接続されるように屈曲状態になっており、可撓性を有する絶縁フィルムの両面にメモリＩＣチップ及び電源ＩＣチップがそれぞれ設けられた構成が開示されている。そして、これによれば、液晶表示装置全体を薄くすることができる、と記載されている。
【０００７】
図６は、液晶表示装置１００’の第２の例を示す。なお、第１の例と同一名称部分は同一符号で示す。
【０００８】
この液晶表示装置１００’は、データ側ガラス基板１１１’と走査側ガラス基板１１２’とそれらの間の液晶層（図示せず）との積層構造からなる液晶表示パネル１１０’と、この液晶表示パネル１１０’の後方に配置されたバックライトユニットを兼ねたシャーシ１２０’と、そのシャーシ１２０’の背面に両面テープ１５０’で貼設されバックライトの光源となるＬＥＤ１３５’が設けられた第１フレキシブル回路基板１３０ｂ’と、液晶表示パネル１１０’に接続された第２フレキシブル回路基板１３０ｃ’と、を備えている。データ側ガラス基板１１１’及び走査側ガラス基板１１２’のそれぞれの外側には、偏光板１１３’，１１４’が設けられている。また、データ側ガラス基板１１１’上には、駆動ドライバ１４０’が設けられている。
【０００９】
第１フレキシブル回路基板１３０ｂ’は、例えば、ポリイミドフィルム等の長方形の絶縁フィルムの絶縁層１３２’の片面に銅箔等からなる所定パターンの配線の導体層１３１’が設けられ、その上に全面を被覆するように絶縁層１３２’が設けられたたものであり、また、第２フレキシブル回路基板１３０ｃ’に向かって延びる接続部１８０’が形成されており、その接続部１８０’には、側縁部に沿って配列した配線の端子部が設けられている。
【００１０】
第２フレキシブル回路基板１３０ｃ’は、例えば、ポリイミドフィルム等の長方形の絶縁フィルムの絶縁層１３２’の両面のそれぞれに銅箔等からなる所定パターンの配線の導体層１３１’が設けられ、その上を被覆するように絶縁層１３２’が設けられたたものであり、裏面側の一方の側縁部及び略中央部のそれぞれには、一列に配列した配線の端子部が設けられている。そして、第２フレキシブル回路基板１３０ｃ’は、その側端部の端子部が液晶表示パネル１１０’の側端部に接続されており、略中央部の端子部に第１フレキシブル回路基板１３０ｂ’の接続部１８０’の側縁部が接続されている（矢印Ａ）。この接続は、一般的には、ＡＣＦや半田を用いてなされる。
【００１１】
図７は、液晶表示装置１００’の第３の例を示す。なお、第１の例と同一名称部分は同一符号で示す。
【００１２】
この液晶表示装置１００’は、上記第２の例において、第１フレキシブル回路基板１３０ｂ’の接続部１８０’の側端部及び第２フレキシブル回路基板１３０ｃ’の裏面側の略中央部の端子部のそれぞれにコネクタ１９０’が取り付けられており、それらがコネクタ１９０’を介して接続されている（矢印Ａ）。その他の構成は第２の例と同一である。
【００１３】
図８は、液晶表示装置１００’の第４の例を示す。なお、第１の例と同一名称部分は同一符号で示す。
【００１４】
この液晶表示装置１００’は、データ側ガラス基板１１１’と走査側ガラス基板１１２’とそれらの間の液晶層（図示せず）との積層構造からなる液晶表示パネル１１０’と、この液晶表示パネル１１０’の後方に配置されたバックライトユニットを兼ねたシャーシ１２０’と、そのシャーシ１２０’の背面に両面テープ１５０’で貼設されたフレキシブル回路基板１３０ａ’と、フック１７１’によってシャーシ１２０’に固定されフレキシブル回路基板１３０ａ’を後方から覆うように保護するプロテクタ（フレーム枠）１７０’と、を備えている。データ側ガラス基板１１１’及び走査側ガラス基板１１２’のそれぞれの外側には、偏光板１１３’，１１４’が設けられている。また、データ側ガラス基板１１１’上には、駆動ドライバ１４０’が設けられている。フレキシブル回路基板１３０ａ’には、バックライトの光源となるＬＥＤ１３５’が設けられている。
【００１５】
フレキシブル回路基板１３０ａ’は、例えば、ポリイミドフィルム等の長方形の絶縁フィルムの絶縁層１３２’の両面に銅箔等からなる所定パターンの配線の導体層１３１’が設けられたものであり、また、液晶表示パネル１１０’の側端部に向かって延びる接続部１８０’が形成されており、その接続部１８０’には、側縁部に沿って配列した配線の端子部が設けられている。そして、フレキシブル回路基板１３０ａ’は、接続部１８０’の側端部の端子部が液晶表示パネル１１０’の側端部に接続されている。
【００１６】
また、特許文献２には、第１の絶縁層の両面に、第１の導体層及び第２の導体層が積層されている両面基材を用意するとともに、第２の絶縁層の一方の面に第３の導体層が積層されている第１の片面基材と、第３の絶縁層の一方の面に第４の導体層が積層されている第２の片面基材とを用意して、第１の導体層と第３の導体層とを、第１の熱硬化性接着剤層を介して接着するとともに、第２の導体層と第４の導体層とを、第２の熱硬化性接着剤層を介して接着することにより、４層フレキシブル配線回路基板を形成する。そして、これによれば、高密度配線が可能で、且つ、薄く、コンパクト化を図ることができる、と記載されている。
【特許文献１】特開２００２−２８９７６４号公報
【特許文献２】特開２００３−２３２４８号公報
【発明の開示】
【発明が解決しようとする課題】
【００１７】
ところで、上記の第１〜３の例の液晶表示装置１００’の場合、周辺回路基板１３０’とフレキシブル回路基板１３０ａ’との接続工程、或いは、第１フレキシブル回路基板１３０ｂ’と第２フレキシブル回路基板１３０ｃ’との接続工程が必要であるので、そのための工数を要し、また、接続品質を一定以上に維持するための留意が必要である。
【００１８】
第４の例の液晶表示装置１００’の場合、フレキシブル回路基板１３０ａ’は、薄く、折り曲げやすい利点がある反面、機械的に弱いために、上記のようにシャーシ１２０’に固定する際に両面テープ１５０’を用いたり、また、その固定を補強するためにプロテクタ１７０’でカバーする必要がある。
【００１９】
本発明は、かかる点に鑑みてなされたものであり、その目的とするところは、他の基板への接続が不要であり、しかも、強度補強を必要としない回路基板及びそれを備えた表示装置を提供することにある。
【課題を解決するための手段】
【００２０】
上記の目的を達成する本発明の回路基板は、導体層と絶縁層とが交互に積層されて剛体板状に形成され、該導体層を３層以上包含する剛性基板本体と、該剛性基板本体からその一部の導体層及び絶縁層が一体に引き出されて可撓シート状に形成された可撓性基板部分と、を有する。
【００２１】
上記の構成によれば、屈曲させる部分にはフレキシブルな可撓性基板部分を配置し、強度が必要な部分にはリジッドな剛性基板本体を配置すればよいので、強度補強が必要でないことに加えて、高い設計の自由度を得ることができる。
【００２２】
また、可撓性基板部分が剛性基板本体からその一部の導体層及び絶縁層が一体に引き出されて可撓シート状に形成されたものであるので、可撓性基板部分と剛性基板本体との接続工程が不要であり、従来、回路基板の他の基板への接続が必要であった場合に比べて、工数の低減を図ることができると共に、接続品質に対する留意が不要となる。
【００２３】
さらに、剛性基板本体と可撓性基板部分との設計を同時に行うことができるので、短期間で開発を行うことができ、それによって開発費を低く抑えることもできる。
【００２４】
本発明の回路基板は、上記剛性基板本体のみに電子部品が実装されたものであってもよい。
【００２５】
可撓性の基板に電子部品を実装した場合、基板の反りが生じたりすると、電子部品の実装安定化及び品質維持が困難となるが、上記の構成によれば、剛性基板本体のみに電子部品が実装されているので、電子部品の実装安定化及び品質維持を図ることができる。
【００２６】
本発明の表示装置は、上記回路基板を備えたものであって、導体層と絶縁層とが交互に積層されて剛体板状に形成され、該導体層を３層以上包含する剛性基板本体と、該剛性基板本体からその一部の導体層及び絶縁層が一体に引き出されて可撓シート状に形成され、端部が被接続部に接続された可撓性基板部分と、を有する回路基板と、
上記回路基板に接続された表示パネルと、
を備えた、ものである。
【００２７】
本発明の表示装置は、上記回路基板の可撓性基板部分の端部が接続された被接続部が上記表示パネルであるものであってもよい。
【００２８】
その場合、本発明の表示装置は、上記回路基板の可撓性基板部分が折り返すように屈曲されて上記剛性基板本体が上記表示パネルの後方に重なるように配置されたものであってもよい。
【００２９】
上記の構成によれば、剛性基板本体が表示パネルの後方に重なるように配置されているものの、可撓性基板部分が折り返すように屈曲されて、その端部が表示パネルに接続されているので、従来行われていたフレキシブル回路基板と周辺回路基板とのＡＣＦや半田を用いた接続が必要でなく、組込みや修理、或いは、解体を簡単に行うことができる。
【００３０】
本発明の表示装置は、上記回路基板の剛性基板本体が係止固定されたものであってもよい。
【００３１】
上記の構成によれば、剛性基板本体が係止固定されているので、固定用及び固定補強用の部材が不要であり、また、機構的に位置決めが容易であることから、固定作業の作業性の向上を図ることができる。
【００３２】
本発明の表示装置は、表示パネルの種類が特に限定されるものではなく、例えば、液晶表示パネルを挙げることができる。
【発明の効果】
【００３３】
以上のように本発明によれば、強度補強が必要でないことに加えて、高い設計の自由度を得ることができる。また、可撓性基板部分と剛性基板本体との接続工程が不要であり、従来、回路基板の他の基板への接続が必要であった場合に比べて、工数の低減を図ることができると共に、接続品質に対する留意が不要となる。さらに、短期間で開発を行うことができ、それによって開発費を低く抑えることもできる。
【発明を実施するための最良の形態】
【００３４】
以下、本発明の実施形態を図面に基づいて詳細に説明する。
【００３５】
（実施形態１）
図１は、携帯電話等に搭載される本発明の実施形態１に係る液晶表示装置１００を示す。
【００３６】
この液晶表示装置１００は、液晶表示パネル１１０と、この液晶表示パネル１１０の後方に配置されたバックライトユニットを兼ねたシャーシ１２０と、そのシャーシ１２０の後方に配置された周辺回路基板１３０と、を備えている。
【００３７】
液晶表示パネル１１０は、データ側ガラス基板１１１と、それに対向するように設けられた走査側ガラス基板１１２と、それらの間に狭持されるように設けられた液晶層（図示せず）との積層構造からなる。データ側ガラス基板１１１及び走査側ガラス基板１１２のそれぞれの外側には、偏光板１１３，１１４が設けられており、また、データ側ガラス基板１１１上には、駆動ドライバ１４０が設けられている。
【００３８】
図２は、本発明の実施形態１に係る周辺回路基板１３０を示す。
【００３９】
この周辺回路基板１３０は、銅箔等からなる導体層１３１とポリイミドフィルム等からなる絶縁層１３２とが交互に積層されて剛体板状に形成された剛性基板本体１３３と、剛性基板本体１３３から導体層１３１及び絶縁層１３２が一体に引き出されて可撓シートに形成された可撓性基板部分１３４と、を備えている。
【００４０】
剛性基板本体１３３は、図示のものは４層の導体層１３１と５層の絶縁層１３２とを有しており、各導体層１３１には所定パターンの配線が設けられていると共に、液晶表示パネル１１０側にバックライトの光源となるＬＥＤ１３５が設けられている。導体層１３１及び絶縁層１３２のそれぞれは、単体では可撓性のものであるが、積層されることにより全体として剛性が高められて剛体板状の剛性基板本体１３３を構成している。また、剛性基板本体１３３は、係止孔１３６が形成されており、その係止孔１３６にシャーシ１２０に設けられた係止爪１２１が係合して液晶表示パネル１１０及びシャーシ１２０の後方に重なるように配置された状態で係止固定されている。このように、剛性基板本体１３３がシャーシ１２０に係止固定されているので、固定用及び固定補強用の部材が不要であり、また、機構的に位置決めが容易であることから、固定作業の作業性の向上を図ることができる。さらに、可撓性基板部分１３４に電子部品が実装されておらず、剛性基板本体１３３のみに、その背面側にＩＣチップ等の電子部品１３７が実装されている。可撓性の基板に電子部品を搭載した場合、基板の反りが生じたりすると、電子部品の実装安定化及び品質維持が困難となるが、このようにＩＣチップ等の電子部品１３７が剛性基板本体１３３のみに実装されているので、電子部品１３７の実装安定化及び品質維持を図ることができる。
【００４１】
可撓性基板部分１３４は、剛性基板本体１３３から引き出された一組の導体層１３１及び絶縁層１３２からなり、フィルム状の導体層１３１の片面に銅箔等からなる所定パターンの配線が設けられた構成である。また、可撓性基板部分１３４は、その側縁部に沿って配列して設けられた配線の端子部１３８を有しており、そして、剛性基板本体１３３から延びて折り返すように屈曲され、その側端部の端子部１３８が液晶表示パネル１１０の側端部の端子部に接続されている。なお、液晶表示パネル１１０側の端子部は駆動ドライバ１４０に電気的に接続されている。
【００４２】
以上の液晶表示装置１００によれば、周辺回路基板１３０について、屈曲させる部分にはフレキシブルな可撓性基板部分１３４を配置し、強度が必要な部分にはリジッドな剛性基板本体１３３を配置すればよいので、図８に示すようなフレキシブル回路基板１３０ａ’の強度補強が必要でないことに加えて、高い設計の自由度を得ることができる。
【００４３】
また、可撓性基板部分１３４が剛性基板本体１３３から引き出されて可撓シート状に形成されたものであるので、図５〜７に示すようなフレキシブル回路基板１３０ａ’と周辺回路基板１３０’とのＡＣＦや半田等を用いた接続が必要でなく、そのため従来に比べて、工数の低減を図ることができると共に、接続品質に対する留意が不要であり、しかも、組込みや修理、或いは、解体を簡単に行うことができる。
【００４４】
さらに、剛性基板本体１３３と可撓性基板部分１３４との設計を同時に行うことができるので、短期間で開発を行うことができ、それによって開発費を低く抑えることもできる。
【００４５】
（実施形態２）
図３は、携帯電話等に搭載される本発明の実施形態２に係る液晶表示装置１００を示す。なお、実施形態１と同一名称部分は同一符号で示す。
【００４６】
この液晶表示装置１００は、液晶表示パネル１１０と、この液晶表示パネル１１０の後方に配置されたバックライトユニットを兼ねたシャーシ１２０と、液晶表示パネル１１０の側方に配置された周辺回路基板１３０と、を備えている。
【００４７】
液晶表示パネル１１０は、データ側ガラス基板１１１と、それに対向するように設けられた走査側ガラス基板１１２と、それらの間に狭持されるように設けられた液晶層（図示せず）との積層構造からなる。データ側ガラス基板１１１及び走査側ガラス基板１１２のそれぞれの外側には、偏光板１１３，１１４が設けられており、また、データ側ガラス基板１１１上には、駆動ドライバ１４０が設けられている。
【００４８】
図４は、本発明の実施形態２に係る周辺回路基板１３０を示す。
【００４９】
この周辺回路基板１３０は、銅箔等からなる導体層１３１とポリイミドフィルム等からなる絶縁層１３２とが交互に積層されて剛体板状に形成された剛性基板本体１３３と、剛性基板本体１３３から導体層１３１及び絶縁層１３２が一体に引き出されて可撓シートに形成された一対の第１及び第２可撓性基板部分１３４ａ，１３４ｂと、を備えている。
【００５０】
剛性基板本体１３３は、図示のものは４層の導体層１３１と５層の絶縁層１３２とを有しており、各導体層１３１には所定パターンの配線が設けられている。
【００５１】
第１可撓性基板部分１３４ａは、剛性基板本体１３３から引き出された一組の導体層１３１及び絶縁層１３２からなり、フィルム状の導体層１３１の片面に銅箔等からなる所定パターンの配線が設けられた構成である。また、第１可撓性基板部分１３４ａは、その側縁部に沿って配列して設けられた配線の端子部１３８を有しており、そして、その側端部の端子部１３８が液晶表示パネル１１０の側端部の端子部に接続されている。なお、液晶表示パネル１１０側の端子部は駆動ドライバ１４０に電気的に接続されている。
【００５２】
第２可撓性基板部分１３４ｂは、剛性基板本体１３３から引き出された一組の導体層１３１及び絶縁層１３２からなり、フィルム状の導体層１３１の片面に銅箔等からなる所定パターンの配線が設けられた構成であり、導体層１３１側にバックライトの光源となるＬＥＤ１３５が設けられている。第２可撓性基板部分１３４ｂは、シャーシ１２０の背面側に延び、シャーシ１２０のＬＥＤ収容部１２２にＬＥＤ１３５が収容されるように両面テープ１５０でシャーシ１２０の背面に貼設されている。
【００５３】
作用効果は、実施形態１と同様である。
【００５４】
（その他の実施形態）
上記実施形態１及び２では、液晶表示装置１００としたが、特にこれに限定されるものではなく、有機ＥＬ表示装置等の他の表示装置であってもよい。
【００５５】
上記実施形態１及び２では、一組の導体層１３１及び絶縁層１３２により可撓性基板部分１３４，１３４ａ，１３４ｂを構成したが、可撓シート状となるのであれば特に限定されるものではなく、例えば、二組の導体層１３１及び絶縁層１３２により可撓性基板部分１３４を構成してもよい。
【００５６】
上記実施形態２では、第１可撓性基板部分１３４ａが液晶表示パネル１１０に接続された構成としたが、特にこれに限定されるものではなく、剛性基板本体１３３が液晶表示パネル１１０に接続された構成であってもよい。
【００５７】
上記実施形態１及び２では、周辺回路基板１３０を液晶表示パネルに取り付けた構成としたが、特にこれに限定されるものではない。例えば、本発明の回路基板を段差のあるシャーシに固定するのに有効であると考えられる。つまり、段差を飛び越える部分には可撓性基板部分を適用し、平坦部には剛性基板部分を配置することで固定することができる。
【産業上の利用可能性】
【００５８】
以上説明したように、本発明は、回路基板、及び、それを備えた電子機器、ＯＡ端末機、携帯電話、広告表示機などに用いられる液晶表示装置等の表示装置について有用である。
【図面の簡単な説明】
【００５９】
【図１】本発明の実施形態１に係る液晶表示装置の（ａ）正面図及び（ｂ）側面図である。
【図２】本発明の実施形態１に係る周辺回路基板の正面図である。
【図３】本発明の実施形態２に係る液晶表示装置の（ａ）正面図及び（ｂ）側面図である。
【図４】本発明の実施形態２に係る周辺回路基板の正面図である。
【図５】第１の例の係る液晶表示装置の（ａ）正面図及び（ｂ）側面図である。
【図６】第２の例の係る液晶表示装置の（ａ）正面図及び（ｂ）側面図である。
【図７】第３の例の係る液晶表示装置の（ａ）正面図及び（ｂ）側面図である。
【図８】第４の例の係る液晶表示装置の（ａ）正面図及び（ｂ）側面図である。
【符号の説明】
【００６０】
１００，１００’  液晶表示装置
１１０，１１０’  液晶表示パネル
１１１，１１１’  データ側ガラス基板
１１２，１１２’  走査側ガラス基板
１１３，１１３’，１１４，１１４’  偏光板
１２０，１２０’  シャーシ
１２１  係止爪
１２２  ＬＥＤ収容部
１３０，１３０’  周辺回路基板
１３０ａ’  フレキシブル回路基板
１３０ｂ’  第１フレキシブル回路基板
１３０ｃ’  第２フレキシブル回路基板
１３１，１３１’  導体層
１３２，１３２’  絶縁層
１３３  剛性基板本体
１３４  可撓性基板部分
１３４ａ  第１可撓性基板部分
１３４ｂ  第２可撓性基板部分
１３５，１３５’  ＬＥＤ
１３６  係止孔
１３７  電子部品
１３８  端子部
１４０，１４０’  駆動ドライバ
１５０，１５０’  両面テープ
１６０’  硬質基板本体
１７０’  プロテクタ
１７１’  フック
１８０’  接続部
１９０’  コネクタ
【図１】
2005164624.tif 000003
【図２】
2005164624.tif 000004
【図３】
2005164624.tif 000005
【図４】
2005164624.tif 000006
【図５】
2005164624.tif 000007
【図６】
2005164624.tif 000008
【図７】
2005164624.tif 000009
【図８】
2005164624.tif 000010